【手続補正書】
【提出日】平成28年11月24日(2016.11.24)
【手続補正１】
【補正対象書類名】特許請求の範囲
【補正対象項目名】全文
【補正方法】変更
【補正の内容】
【特許請求の範囲】
【請求項１】
移動局（ＭＳ）上での方法であって、
前記ＭＳによ、隣接セルのセット中のセルのセットの測定を実施することと、
前記実施された測定に少なくとも部分的に基づいて観測到着時間差（ＯＴＤＯＡ）支援データを受信することと、前記ＯＴＤＯＡ支援データ基準セルは、
ＯＴＤＯＡ支援データ基準セルと、前記ＯＴＤＯＡ支援データ基準セルは、前記実施された測定に少なくとも部分的に基づいて前記ＭＳの隣接セルの前記セットから選択される、
前記ＭＳのサービングセルと前記ＯＴＤＯＡ支援データ基準セルとの間のシステムフレーム番号（ＳＦＮ）オフセットと、
測位基準信号（ＰＲＳ）情報と
を含む、
前記ＯＴＤＯＡ支援データ中に含まれる前記ＳＦＮオフセットおよび前記サービングセルのＳＦＮに基づいて、前記ＯＴＤＯＡ支援データ基準セルのＳＦＮを決定することと、
前記ＯＴＤＯＡ支援データ基準セルの前記ＳＦＮおよび前記ＯＴＤＯＡ支援データ中に含まれる前記ＰＲＳ情報に基づいて、隣接セルの前記セットのＰＲＳ機会を決定することと
を備える方法。
【請求項２】
隣接セルのサブセットについてのＯＴＤＯＡ測定を実施することと、前記ＯＴＤＯＡ測定は、前記受信されたＯＴＤＯＡ支援データに少なくとも部分的に基づく、
前記ＯＴＤＯＡ測定を、前記ＭＳに通信可能に結合されたロケーションサーバに送ることと
をさらに備える、請求項１に記載の方法。
【請求項３】
前記ＯＴＤＯＡ測定は、ロングタームエボリューション（ＬＴＥ）測位プロトコル（ＬＰＰ）またはＬＰＰ拡張（ＬＰＰｅ）メッセージを使って前記ロケーションサーバに送られる、請求項２に記載の方法。
【請求項４】
プロセッサと、ここにおいて前記プロセッサは、移動局（ＭＳ）の隣接セルのセット中のセルのセットの測定を実施するように構成される、
前記プロセッサに結合されたトランシーバと、前記トランシーバは、観測到着時間差（ＯＴＤＯＡ）支援データを受信するためのものである
を備え、前記ＯＴＤＯＡ支援データは、
ＯＴＤＯＡ支援データ基準セルと、前記ＯＴＤＯＡ支援データ基準セルは、前記実施された測定に少なくとも部分的に基づいて前記ＭＳの隣接セルの前記セットから選択される、
前記ＭＳのサービングセルと前記ＯＴＤＯＡ支援データ基準セルとの間のシステムフレーム番号（ＳＦＮ）オフセットと、
測位基準信号（ＰＲＳ）情報と
を含み、前記プロセッサは、
前記ＯＴＤＯＡ支援データ中に含まれる前記ＳＦＮオフセットおよび前記サービングセルのＳＦＮに基づいて、前記ＯＴＤＯＡ支援データ基準セルのＳＦＮを決定し、
前記ＯＴＤＯＡ支援データ基準セルの前記ＳＦＮおよび前記ＯＴＤＯＡ支援データ中に含まれる前記ＰＲＳ情報に基づいて、隣接セルの前記セットのＰＲＳ機会を決定する
ようにさらに構成される、ＭＳ。
【請求項５】
前記プロセッサは、隣接セルのサブセットについてのＯＴＤＯＡ測定を実施するようにさらに構成され、前記ＯＴＤＯＡ測定は、前記受信されたＯＴＤＯＡ支援データに少なくとも部分的に基づく、
前記トランシーバはさらに、前記ＯＴＤＯＡ測定を、前記ＭＳに通信可能に結合されたロケーションサーバに送るためのものである、請求項４に記載のＭＳ。
【請求項６】
前記ＯＴＤＯＡ測定は、ロングタームエボリューション（ＬＴＥ）測位プロトコル（ＬＰＰ）またはＬＰＰ拡張（ＬＰＰｅ）メッセージを使って前記ロケーションサーバに送られる、請求項５に記載のＭＳ。
【請求項７】
移動局（ＭＳ）の隣接セルのセット中のセルのセットの測定を実施するための手段と、
前記実施された測定に少なくとも部分的に基づいて観測到着時間差（ＯＴＤＯＡ）支援データを受信するための手段と、前記ＯＴＤＯＡ支援データ基準セルは、
ＯＴＤＯＡ支援データ基準セルと、前記ＯＴＤＯＡ支援データ基準セルは、前記実施された測定に少なくとも部分的に基づいて前記ＭＳの隣接セルの前記セットから選択される、
前記ＭＳのサービングセルと前記ＯＴＤＯＡ支援データ基準セルとの間のシステムフレーム番号（ＳＦＮ）オフセットと、
測位基準信号（ＰＲＳ）情報と
を含む、
前記ＯＴＤＯＡ支援データ中に含まれる前記ＳＦＮオフセットおよび前記サービングセルのＳＦＮに基づいて、前記ＯＴＤＯＡ支援データ基準セルのＳＦＮを決定するための手段と、
前記ＯＴＤＯＡ支援データ基準セルの前記ＳＦＮおよび前記ＯＴＤＯＡ支援データ中に含まれる前記ＰＲＳ情報に基づいて、隣接セルの前記セットのＰＲＳ機会を決定するための手段と
を備えるＭＳ。
【請求項８】
隣接セルのサブセットについてのＯＴＤＯＡ測定を実施するための手段と、前記ＯＴＤＯＡ測定は、前記受信されたＯＴＤＯＡ支援データに少なくとも部分的に基づく、
前記ＯＴＤＯＡ測定を、前記ＭＳに通信可能に結合されたロケーションサーバに送るための手段と
をさらに備える、請求項７に記載のＭＳ。
【請求項９】
前記ＯＴＤＯＡ測定は、ロングタームエボリューション（ＬＴＥ）測位プロトコル（ＬＰＰ）またはＬＰＰ拡張（ＬＰＰｅ）メッセージを使って前記ロケーションサーバに送られる、請求項７に記載のＭＳ。
【請求項１０】
移動局（ＭＳ）の隣接セルのセット中のセルのセットの測定を実施することと、
前記実施された測定に少なくとも部分的に基づいて観測到着時間差（ＯＴＤＯＡ）支援データを受信することと、前記ＯＴＤＯＡ支援データは、
ＯＴＤＯＡ支援データ基準セルと、前記ＯＴＤＯＡ支援データ基準セルは、前記実施された測定に少なくとも部分的に基づいて前記ＭＳの隣接セルの前記セットから選択される、
前記ＭＳのサービングセルと前記ＯＴＤＯＡ支援データ基準セルとの間のシステムフレーム番号（ＳＦＮ）オフセットと、
測位基準信号（ＰＲＳ）情報と
を含む、
前記ＯＴＤＯＡ支援データ中に含まれる前記ＳＦＮオフセットおよび前記サービングセルのＳＦＮに基づいて、前記ＯＴＤＯＡ支援データ基準セルのＳＦＮを決定することと、
前記ＯＴＤＯＡ支援データ基準セルの前記ＳＦＮおよび前記ＯＴＤＯＡ支援データ中に含まれる前記ＰＲＳ情報に基づいて、隣接セルの前記セットの測位基準信号（ＰＲＳ）機会を決定することと
をプロセッサによって実行可能な命令を備える、非一時的コンピュータ可読媒体。
【請求項１１】
隣接セルのサブセットについてのＯＴＤＯＡ測定を実施することと、前記ＯＴＤＯＡ測定は、前記受信されたＯＴＤＯＡ支援データに少なくとも部分的に基づく、
前記ＯＴＤＯＡ測定を、前記ＭＳに通信可能に結合されたロケーションサーバに送ることと
をさらに備える、請求項１０に記載のコンピュータ可読媒体。
【請求項１２】
前記ＯＴＤＯＡ測定は、ロングタームエボリューション（ＬＴＥ）測位プロトコル（ＬＰＰ）またはＬＰＰ拡張（ＬＰＰｅ）メッセージを使って前記ロケーションサーバに送られる、請求項１１に記載のコンピュータ可読媒体。
【手続補正２】
【補正対象書類名】明細書
【補正対象項目名】００２１
【補正方法】変更
【補正の内容】
【００２１】
【図１】[0021]ロケーション支援データまたはロケーション情報の転送を含むロケーションサービスをＭＳ１２０に提供することが可能な例示的なシステム１００のアーキテクチャを示す図。
【図２】[0022]ＭＳ１２０のロケーションを決定することが可能なシステム１７５内のいくつかのエンティティを示す単純化されたブロック図。
【図３Ａ】[0023]測位基準信号（ＰＲＳ）をもつ例示的ＬＴＥ（登録商標）フレームの構造を示す図。
【図３Ｂ】[0024]システムフレーム番号（ＳＦＮ）と、セル固有サブフレームオフセットとＰＲＳ周期性との間の関係を示す図。
【図４】[0025]開示される実施形態と一貫するやり方で、ＯＴＤＯＡ支援データをＭＳに提供するための例示的方法のためのフローチャート。
【図５】[0026]開示される実施形態と一貫するやり方で、隣接セルについてのセルタイミング情報（ＳＦＮなど）を取得し、ＯＴＤＯＡ測定を実施するための例示的方法のためのフローチャート。
【図６】[0027]支援データセルがＭＳのサービングセルを含まない支援データセルのＰＲＳ機会を決定するための例示的方法のためのフローチャート。
【図７】[0028]開示される実施形態と一貫するやり方で、ＯＴＤＯＡ支援データの決定と転送とをサポートする手順の例示的メッセージフロー５００を示す図。
【図８】[0029]開示される実施形態と一貫するやり方で、非サービングセルについてのＯＴＤＯＡ支援情報を使ってＯＴＤＯＡ測定をサポートするように対応したＭＳのいくつかの例示的特徴を示す概略ブロック図。
【図９】[0030]開示される実施形態と一貫するやり方で、ＭＳの非サービング隣接セルについてのＯＴＤＯＡ支援情報を提供することによって、ＯＴＤＯＡ測定のサポートを含む、ＭＳ向けのロケーションサービスをサポートするように対応したサーバを示す概略ブロック図。